(57)【要約】      （修正有）【課題】かごの天井で作業する作業員に対し、作業環境を認識させることができるエレベーターの昇降路の内部における投影装置。【解決手段】エレベーターの昇降路１の内部における投影装置９は、エレベーターのかご４に設けられ、前記かご４の位置に応じた情報を前記エレベーターの昇降路１の壁面に投影する投影器１１、を備えた。当該構成によれば、かご４の位置に応じた情報が昇降路１の壁面に投影される。このため、かご４の天井で作業する作業員に対し、作業環境を認識させることができる。【選択図】図１
2018188292.tif 000002
【特許請求の範囲】
【請求項１】
エレベーターのかごに設けられ、前記かごの位置に応じた情報を前記エレベーターの昇降路の壁面に投影する投影器、
を備えたエレベーターの昇降路の内部における投影装置。
【請求項２】
前記投影器は、前記かごの位置に応じた情報として前記かごが位置している高さの情報を前記昇降路の壁面に投影する請求項１に記載のエレベーターの昇降路の内部における投影装置。
【請求項３】
前記かごに設けられ、赤外線を用いて前記エレベーターのピットまでの距離を測定する測定器、
を備え、
前記投影器は、前記かごが位置している高さの情報として前記測定器に測定された距離の情報を前記昇降路の壁面に投影する請求項２に記載のエレベーターの昇降路の内部における投影装置。
【請求項４】
前記投影器は、前記かごの天井に設けられたＲＵＮスイッチの操作に基づいて前記かごが移動している際に前記かごの位置に応じた情報として前記かごが位置している高さの情報を前記昇降路の壁面に投影する請求項１から請求項３のいずれか１項に記載のエレベーターの昇降路の内部における投影装置。
【請求項５】
前記投影器は、前記かごが前記エレベーターのオモリに接近した際に前記かごの位置に応じた情報として前記オモリへの接近を示す情報を前記昇降路の壁面に投影する請求項１から請求項４のいずれか１項に記載のエレベーターの昇降路の内部における投影装置。
【請求項６】
前記投影器は、前記かごが当該かごに隣接したかごに接近した際に前記かごの位置に応じた情報として前記隣接したかごへの接近を示す情報を前記昇降路の壁面に投影する請求項１から請求項５のいずれか１項に記載のエレベーターの昇降路の内部における投影装置。
【請求項７】
前記投影器は、前記昇降路の壁面の方向に応じて前記かごの位置に応じた情報を前記昇降路の壁面に投影する請求項１から請求項６のいずれか１項に記載のエレベーターの昇降路の内部における投影装置。
【請求項８】
前記投影器は、前記かごの天井に設けられた柵が立てられていない際に前記かごの位置に応じた情報を前記エレベーターの昇降路の壁面に投影せず、前記柵が立てられている際に前記かごの位置に応じた情報を前記エレベーターの昇降路の壁面に投影する請求項１から請求項７のいずれか１項に記載のエレベーターの昇降路の内部における投影装置。
【発明の詳細な説明】
【技術分野】
【０００１】
この発明は、エレベーターの昇降路の内部における投影装置に関する。
【背景技術】
【０００２】
特許文献１は、エレベーターのランバイ測定装置を開示する。当該エレベーターのランバイ測定装置においては、エレベーターのランバイを測定するときの作業効率を向上させることができる。
【先行技術文献】
【特許文献】
【０００３】
【特許文献１】特開２０１２−１３１１号公報
【発明の概要】
【発明が解決しようとする課題】
【０００４】
しかしながら、特許文献１に記載のエレベーターにおいて、かごの天井での作業が考慮されていない。このため、かごの天井で作業する作業員に対し、作業環境を認識させることができない。
【０００５】
この発明は、上述の課題を解決するためになされた。この発明の目的は、かごの天井で作業する作業員に対し、作業環境を認識させることができるエレベーターの昇降路の内部における投影装置を提供することである。
【課題を解決するための手段】
【０００６】
この発明に係るエレベーターの昇降路の内部における投影装置は、エレベーターのかごに設けられ、前記かごの位置に応じた情報を前記エレベーターの昇降路の壁面に投影する投影器、を備えた。
【発明の効果】
【０００７】
この発明によれば、かごの位置に応じた情報が昇降路の壁面に投影される。このため、かごの天井で作業する作業員に対し、作業環境を認識させることができる。
【図面の簡単な説明】
【０００８】
【図１】この発明の実施の形態１におけるエレベーターの昇降路の内部における投影装置が適用されるエレベーターの構成図である。
【図２】この発明の実施の形態１におけるエレベーターの昇降路の内部における投影装置が適用されるかごの平面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１はこの発明の実施の形態１におけるエレベーターの昇降路の内部における投影装置が適用されるエレベーターの構成図である。
【００１１】
図１において、エレベーターの昇降路１は、建築物の各階を貫く。エレベーターのピット２は、昇降路１の底部に設けられる。
【００１２】
エレベーターの複数の乗場３の各々は、建築物の各階に設けられる。複数の乗場３の各々は、昇降路１に対向する。エレベーターのかご４は、昇降路１の内部に設けられる。エレベーターのオモリ５は、昇降路１の内部に設けられる。
【００１３】
例えば、制御装置６は、図示されないエレベーターの機械室に設けられる。例えば、制御装置６は、昇降路１の内部に設けられる。制御装置６は、エレベーターの動作を全体的に制御し得るように設けられる。
【００１４】
柵７は、かご４の天井に設けられる。ＲＵＮスイッチ８は、かご４の天井に設けられる。
【００１５】
投影装置９は、かご４に設けられる。例えば、投影装置９は、測定器１０と投影器１１と備える。
【００１６】
例えば、測定器１０は、かごの側面に設けられる。例えば、測定器１０は、赤外線距離センサである。例えば、投影器１１は、かごの側面に設けられる。例えば、投影器１１は、フルカラーのプロジェクタである。
【００１７】
エレベーターの保守作業時において、作業員は、図示されないハンドランプを照明として携帯した上でかご４の天井に乗る。その後、作業員は、柵７を立てる。この際、測定器１０は、赤外線を用いてエレベーターのピット２までの距離を測定する。投影器１１は、かご４の位置に応じた情報を昇降路１の壁面に投影する。
【００１８】
例えば、投影器１１は、ＲＵＮスイッチ８の操作に基づいてかご４が移動している際にかご４が位置している高さの情報を昇降路１の壁面に投影する。例えば、投影器１１は、かご４が位置している高さの情報として測定器１０に測定された距離の情報を昇降路１の壁面に投影する。この際、投影器１１は、ピット２の床面を基準としてかご４が位置している高さの情報をメートル単位で投影する。例えば、投影器１１は、かご４がエレベーターのオモリ５に接近した際にオモリ５への接近を示す情報を昇降路１の壁面に投影する。
【００１９】
次に、図２を用いて、投影器１１の配置を説明する。
図２はこの発明の実施の形態１におけるエレベーターの昇降路の内部における投影装置が適用されるかごの平面図である。
【００２０】
図２に示されるように、投影器１１は、かご４の天井の縁部に設けられる。例えば、投影器１１は、情報を投影すべき方向に近い側においてかご４の天井の縁部に設けられる。投影器１１は、かご４の天井において乗場３の側に設けられる。投影器１１は、かご４の天井に対して着脱自在に設けられることもある。
【００２１】
以上で説明した実施の形態１によれば、かご４の位置に応じた情報が昇降路１の壁面に投影される。このため、昇降路１の内部が暗くても、かご４の天井で作業する作業員に対し、作業環境を認識させることができる。
【００２２】
例えば、かご４が位置している高さの情報が昇降路１の壁面に投影される。このため、かご４の天井で作業する作業員に対し、かご４が位置している高さを認識させることができる。
【００２３】
また、かご４が位置している高さは、測定器１０により測定される。このため、投影装置９と制御装置６との通信を不要としつつ、かご４の天井で作業する作業員に対し、かご４が位置している高さを認識させることができる。
【００２４】
なお、かご４が位置している高さの情報を制御装置６から取得してもよい。この場合、測定器１０を不要としつつ、かご４の天井で作業する作業員に対し、かご４が位置している高さを認識させることができる。
【００２５】
例えば、かご４が位置している高さの情報は、ＲＵＮスイッチ８の操作に基づいてかご４が移動している際に昇降路１の壁面に投影される。このため、かご４の天井で作業する作業員に対し、かご４が位置している高さが変化していることを認識させることができる。
【００２６】
例えば、かご４がオモリ５に接近した際、オモリ５への接近を示す情報が昇降路１の壁面に投影される。このため、かご４の天井で作業する作業員に対し、かご４がオモリ５に接近していることを認識させることができる。
【００２７】
なお、昇降路１の壁面の方向に応じてかご４の位置に応じた情報を投影装置９で昇降路１の壁面に投影してもよい。この場合、かご４の天井で作業する作業員に対し、昇降路１の壁面の方向に応じた作業環境を認識させることができる。
【００２８】
また、かご４の位置に応じて投影装置９の投影方向を変化させてもよい。この場合、かご４の天井で作業する作業員に対し、作業環境をより適切に認識させることができる。
【００２９】
例えば、ＲＵＮスイッチ８によりかご４を移動させる場合、作業員は、乗場３の方向を向く。この場合、投影装置９の投影方向を乗場３の方向にすればよい。
【００３０】
例えば、かご４が最上階に近づく場合、作業員は、上方を向く。この場合、投影装置９の投影方向を上方にすればよい。
【００３１】
例えば、昇降路１の中間部においては、かご４がオモリ５に接近する。この場合、投影装置９の投影方向をオモリ５の方向にすればよい。
【００３２】
例えば、昇降路１の中間部においては、梁が存在する。この場合、投影装置９の投影方向を梁の方向にすればよい。
【００３３】
また、複数のかご４が昇降路１の内部において昇降するエレベーターシステムにおいて、当該かご４が当該かご４に隣接したかご４に接近した際に当該かご４の位置に応じた情報として隣接したかご４への接近を示す情報を当該かご４の投影装置９で昇降路１の壁面に投影してもよい。この場合、かご４の天井で作業する作業員に対し、隣接したかご４が接近していることを認識させることができる。
【００３４】
また、かご４の位置に応じた情報としてかご４の位置に応じて変化する砂時計を示す情報を投影装置９で昇降路１の壁面に投影してもよい。この場合、かご４の天井で作業する作業員に対し、作業環境をより簡易な方法で認識させることができる。
【００３５】
また、現時点のかご４の位置で起こり得る出来事を示す情報を投影装置９で昇降路１の壁面に投影してもよい。この場合、かご４の天井で作業する作業員に対し、注意を喚起することができる。
【００３６】
また、ヘルメットを示す情報を投影装置９で昇降路１の壁面に投影してもよい。この場合、かご４の天井で作業する作業員に対し、ヘルメットの着用を促すことができる。
【００３７】
また、パトランプが回っている状態を示す情報を投影装置９で昇降路１の壁面に投影してもよい。この場合、かご４の天井で作業する作業員に対し、注意を喚起することができる。
【００３８】
また、現時点のかご４の位置で過去に起きた出来事を示す情報を投影装置９で昇降路１の壁面に投影してもよい。この場合、かご４の天井で作業する作業員に対し、注意を喚起することができる。
【００３９】
また、かご４の動作に応じて投影する情報を変化させてもよい。例えば、かご４が移動している際、次に起こり得る出来事を示す情報を投影してもよい。例えば、かご４が停止している場合、次に起こり得る出来事を示す情報を投影しつつ、過去に起きた出来事を示す情報を投影してもよい。これらの場合、かご４の天井で作業する作業員に対し、より確実に注意を喚起することができる。
【００４０】
また、柵７が立てられていない際にかご４の位置に応じた情報をエレベーターの昇降路の壁面に投影しなくてもよい。この場合、作業員が柵７を立てた場合のみにかご４の位置に応じた情報が投影される。このため、投影装置９の消費電力を抑制することができる。
【００４１】
また、投影装置９を照明として利用してもよい。この際、かご４の位置に応じた情報を投影しなくてもよい。この場合も、昇降路１の内部を明るくすることができる。その結果、かご４の天井で作業する作業員に対し、作業環境を認識させることができる。
【００４２】
また、昇降路１の内部に発光ダイオードの照明を設けてもよい。この場合も、昇降路１の内部を明るくすることができる。その結果、かご４の天井で作業する作業員に対し、作業環境を認識させることができる。
【符号の説明】
【００４３】
１  昇降路、  ２  ピット、  ３  乗場、  ４  かご、  ５  オモリ、  ６  制御装置、  ７  柵、  ８  ＲＵＮスイッチ、  ９  投影装置、  １０  測定器、  １１  投影器
【図１】
2018188292.tif 000003
【図２】
2018188292.tif 000004